(57)【要約】【課題】円滑かつ安全に昇降動作を行うことができ、しかも昇降装置を分解して運搬する際にも効率的かつ安全に作業場まで運搬でき、さらに高所においても滑ることなく安全に作業可能な昇降装置と、複数の支柱を締結する際に締結部分に発生する曲げ力を、支柱の堅固な角部へ伝達可能にして安全性を高めた締結具を提供することである。【解決手段】下端に固定部５を備え上端に転倒防止部４を備える支柱２ａ，２ｂ，２ｃと、上下移動可能に周設される一対の枠体９Ｒ，９Ｌを備え、この一対の枠体９Ｒ，９Ｌからそれぞれ反対方向に延設される支持部を介してそれぞれ設けられた載足部を備える一対の昇降器３Ｒ，３Ｌとを有する昇降装置１において、枠体９Ｒ，９Ｌと支持部を結ぶ方向線と載足部の上部に架設されるベルト部の両端部を結ぶ方向線とが略一致するものである。【選択図】　図２
2004000043.tif 000002
【特許請求の範囲】
【請求項１】
下端に固定部を備え上端に転倒防止部を備える支柱と、この支柱に上下移動可能に周設される一対の枠体を備えこの一対の枠体からそれぞれ反対方向に延設される支持部を介してそれぞれ設けられた載足部を備える一対の昇降器と、を有する昇降装置において、前記枠体とこの枠体から延設された支持部を結ぶ方向線と前記載足部の上部に架設されるベルト部の両端部を結ぶ方向線とが略一致することを特徴とする昇降装置。
【請求項２】
前記固定部は、差込具と、この差込具の側部から延設される支持腕と、この支持腕の端部に設けられ地面の定着物に固着するための固着具と、前記差込具の下部に設けられた支持脚とを有することを特徴とする請求項１記載の昇降装置。
【請求項３】
前記昇降装置の支柱は、締結具を介して複数の支柱を接続してなり、これらの複数の支柱には、これらの複数の支柱を重ねた場合に各々の支柱に穿設された少なくとも１の孔の位置が符合するように配置されていることを特徴とする請求項１または請求項２記載の昇降装置。
【請求項４】
前記載足部は、表裏に貫通する孔を備えてなることを特徴とする請求項１乃至請求項３記載の昇降装置。
【請求項５】
断面矩形の中空材同士を締結する締結具において、二の略長方形の板と、二の補強ブラケットを有し、前記二の板はそれぞれ一の短辺の中央位置からこの短辺と垂直方向に長手方向の略中央位置まで設けられた切込みと二の長辺に少なくとも一の突起部とを備え、前記二の補強ブラケットは中空四角柱を縦に二分割して形成される二の補強ブラケットであって、それぞれ二の側面を備える三角柱形状を有し、前記二の側面によって形成される角に前記板の長辺に備えられた突起部と符号する位置に孔が設けられ、前記二の補強ブラケットの側面同士の当接するそれぞれの辺に前記板の長辺に供えられた突起部と符号する位置に溝が設けられ、前記二の板を、前記切込み同士を組み合わせて二の板の面が直交するように前記補強ブラケット内に収納し、前記突起部を前記孔あるいは溝から突出させることを特徴とする締結具。
【発明の詳細な説明】
【０００１】
【発明の属する技術分野】
本発明は、樹木や電柱あるいは建築物などの定着物に対して容易に昇降できる昇降装置に係り、特に無段階に位置を調整しながら昇降できる昇降装置とその締結具に関する。
【０００２】
【従来の技術】
一般に、電柱や建築物など地面に定着された物には梯子などをかけて昇り、必要な作業を実施していた。また、植林事業などで必要な樹木の枝打ち作業などにおいても梯子を用いたりあるいはスパイクシューズを用いて直接登ったりしていた。
しかしながら、梯子は定着物に対して直立させると倒れる可能性があるところ斜めに立てかけられるため、梯子の上端部から下端部にかけて広がる土地スペースを必要とし、昇降する位置のすぐ後方に他の構造物などがある場合には、使用できないといった課題があった。また、樹木に登る際に使用されるスパイクシューズは、樹木の表皮さらには内部組織まで損傷させる場合があり、例えば建材として使用される場合においても損傷部分の商品価値が著しく損なわれるため好ましくないという課題があった。
【０００３】
このような課題を解決すべく、本願出願人らは先に特開２００１−５４３２６号公報（以下、イ号公報という。）に開示されるとおり、「枝打ち用木登り装置」を特許出願している。
図８を参照しながらこのイ号公報に開示された従来の昇降装置について説明する。図８は昇降装置の従来例の一部破断させた斜視図である。図８において、枝打ち用木登り装置７１は、下端に固定フォーク７４を、上端に転倒防止金具７３を取付けた支柱７２と、この支柱に沿って上下に移動可能な一対の昇降器７５Ｒ，７５Ｌから構成されるものである。また、昇降器は昇降器枠体７６Ｒ，７６Ｌと足踏み台７７Ｒ，７７Ｌから成り、この足踏み台７７Ｒ，７７Ｌは昇降器枠体７６Ｒ，７６Ｌの端縁に沿って取付けられている。
【０００４】
一方、昇降器枠体７６Ｒ，７６Ｌ昇降器は、昇降器枠７８Ｒ，７８Ｌと昇降器足踏み台用スティ７９Ｒ，７９Ｌから構成されており、昇降器足踏み台用スティ７９Ｒ，７９Ｌには足踏み台８０Ｒ，８０Ｌが設置されており、この足踏み台８０Ｒ，８０Ｌには枝打ち作業を行う者の靴を固定するための靴固定用バンド８１Ｒ，８１Ｌと靴のかかとを保持するためのかかと保持部８２Ｒ，８２Ｌが備えられている。
また、支柱７２は図示されていないが、一端に接続凹部と、他端に接続凸部を形成した中空角材を、枝打ちする高さに応じて必要本数接続して構成させることも可能となっており、高い樹木の枝打ちにも対応可能に構成されている。
【０００５】
【発明が解決しようとする課題】
しかしながら、上述の従来の技術においては、図８に示される通り昇降器足踏み台用スティ７９Ｒ，７９Ｌに設置された足踏み台８０Ｒ，８０Ｌの位置と、この足踏み台８０Ｒ，８０Ｌの上部に架設される靴固定用バンド８１Ｒ，８１Ｌの位置が異なっていた。すなわち、昇降器枠７８Ｒ，７８Ｌとこの昇降器枠７８Ｒ，７８Ｌから延設された昇降器足踏み台用スティ７９Ｒ，７９Ｌを結ぶ方向線と靴固定用バンド８１Ｒ，８１Ｌの各々において、その両端部を結ぶ方向線が略一致していなかった。
【０００６】
従って、枝打ち作業員が靴を靴固定用バンド８１Ｒ，８１Ｌにかけて支柱７２に沿って円滑かつ安全に昇降動作を行うことが困難となる課題があった。
また、複数の支柱７２を接続させて構成させるような場合に、枝打ち作業を行う地点まで複数の支柱を運搬すると紐などで束ねることが必要であったが紐で束ねる作業に時間がかかるばかりか紐がほどけてしなうことも多く、途中で運搬のバランスを崩してしまうこともありその際にケガをしたりと、必ずしも簡単にあるいは安全に運搬できないという課題があった。
【０００７】
さらに、このように複数の支柱を接続するためには締結具が必要であるが、作業員の昇降によって、この締結具には大きな負荷がかかるため、容易に締結できることが重要である一方、その強度を高く保つ必要がある。従って、単なる凸部と凹部に加え、中空矩形材の角部の強度を利用したより堅固な締結具が望まれていた。
また、作業員による枝打ちは森林内で作業され、また電柱や建築物における昇降作業においても雨天に行われることがある。そのような状況では、作業員の靴に泥がついたり、雨滴がつくため足踏み台８０Ｒ，８０Ｌが滑りやすくなってしまうという課題があった。
【０００８】
本発明はかかる従来の事情に対処してなされたものであり、円滑かつ安全に昇降動作を行うことができ、しかも昇降装置を分解して運搬する際にも効率的かつ安全に作業場まで運搬でき、さらに高所においても滑ることなく安全に作業可能な、すなわち安全性を特に配慮して改善した昇降装置と、複数の支柱を締結する際に締結部分に発生する曲げ力を、支柱の堅固な角部へ伝達可能にして安全性を高めた締結具を提供することを目的とする。
【０００９】
【課題を解決するための手段】
上記目的を達成するため、請求項１記載の発明である昇降装置は、下端に固定部を備え上端に転倒防止部を備える支柱と、この支柱に上下移動可能に周設される一対の枠体を備えこの一対の枠体からそれぞれ反対方向に延設される支持部を介してそれぞれ設けられた載足部を備える一対の昇降器と、を有する昇降装置において、枠体とこの枠体から延設された支持部を結ぶ方向線と載足部の上部に架設されるベルト部の両端部を結ぶ方向線とが略一致するものである。
上記構成の昇降装置においては、枠体とこの枠体から延設された支持部を結ぶ方向線と載足部の上部に架設されるベルト部の両端部を結ぶ方向線とが略一致するため、作業員の靴によって引き上げられるベルト部の力がそのまま支持部を介して枠体に伝わるという作用を有する。
【００１０】
また、請求項２に記載の発明である昇降装置は、請求項１に記載の昇降装置において、固定部が、差込具と、この差込具の側部から延設される支持腕と、この支持腕の端部に設けられ地面の定着物に固着するための固着具と、差込具の下部に設けられた支持脚とを有するものである。
上記構成の昇降装置においては、請求項１記載の発明の作用に加え、固定部を特に地面に定着された物に対して固着しつつ、その支持脚によって支持することによって、昇降装置をより安定して固定する作用を有する。
【００１１】
さらに、請求項３に記載の発明である昇降装置は、請求項１または請求項２記載の昇降装置において、昇降装置の支柱が、締結具を介して複数の支柱を接続してなり、これらの複数の支柱には、これらの複数の支柱を重ねた場合に各々の支柱に穿設された少なくとも１の孔の位置が符合するように配置されているものである。
上記構成の昇降装置においては、複数の支柱を束ねて運搬する際に、各々に支柱に穿設された孔にボルトなどを通すことによって束ねることが可能となり、簡単かつ安全に運搬できるという作用を有する。
【００１２】
請求項４に記載の発明である昇降装置は、請求項１乃至請求項３記載の昇降装置において、載足部が表裏に貫通する孔を備えているものである。
上記構成の昇降装置においては、雨などが靴や載足部についた場合において孔自体による摩擦力が発揮されると同時に、表裏に貫通する孔を通して作業員の靴についた泥を下方に落として靴が持つ摩擦力を回復させるという作用を有する。
【００１３】
最後に請求項５に記載の締結具は、断面矩形の中空材同士を締結する締結具において、二の略長方形の板と、二の補強ブラケットを有し、二の板はそれぞれ一の短辺の中央位置からこの短辺と垂直方向に長手方向の略中央位置まで設けられた切込みと二の長辺に少なくとも一の突起部とを備え、二の補強ブラケットは中空四角柱を縦に二分割して形成される二の補強ブラケットであって、それぞれ二の側面を備える三角柱形状を有し、二の側面によって形成される角に板の長辺に備えられた突起部と符号する位置に孔が設けられ、二の補強ブラケットの側面同士の当接するそれぞれの辺に板の長辺に供えられた突起部と符号する位置に溝が設けられ、二の板を、切込み同士を組み合わせて二の板の面が直交するように補強ブラケット内に収納し、突起部を孔あるいは溝から突出させるものである。
上記構成の締結具においては断面矩形の中空材内に挿入された場合に、補強ブラケットから孔あるいは溝から突出された突起部が中空材の角部に当接するため、締結具に係る曲げの力を、中空材において堅固な強度を維持可能な角部に伝達させる作用を有する。
【００１４】
【発明の実施の形態】
以下に、本発明の実施の形態に係る昇降装置を図１乃至図７に基づき説明する。（請求項１乃至請求項４に対応）
図１は本発明の実施の形態に係る昇降装置の概念図であり、図２は本実施の形態に係る昇降装置を分解した状態を示す概念図である。図１において、昇降装置１は３本の支柱２ａ，２ｂ，２ｃを接続して構成され、上部の支柱２ａの上端部には転倒防止金物４が設置されている。また、この支柱２ａと中央部の支柱２ｂ、下部の支柱２ｃはジョイント６によって矢印に示されるように差し込まれ締結されている。下部の支柱２ｃの下端部には地面に刺して固定を図るための下部固定フォーク５が設置されている。支柱２ａ，２ｂ，２ｃには昇降器３Ｒ，３Ｌが設けられており、これに載って作業員は支柱２ａ，２ｂ，２ｃを昇降する。
【００１５】
支柱２ａには２箇所の留め孔８が、支柱２ｂ，２ｃにも２箇所の通し孔７が穿設されている。通し孔７は、単に孔が穿設されるものであり、留め孔８は雌ネジが螺刻されているものである。これらの孔７，８は、３本の支柱２ａ，２ｂ，２ｃを作業場まで束ねて運搬するためのものであり、それぞれの位置は、支柱を束ねたときに符合するように予め配置されている。
【００１６】
次に、図２を用いてこれらの孔７，８に関して説明を加える。３本の支柱２ａ，２ｂ，２ｃを運搬する際には、支柱２ｃ、支柱２ｂ、支柱２ａと束ねた上で雄ネジが螺刻された運搬ボルト１１を通し孔７に通し、留め孔８においてネジ止めする。なお、支柱２ａの留め孔８も単なる通し孔として運搬ボルト１１と別個のナットなどで止めてもよいことは言うまでもない。このように構成されることによって、作業を行う場所までの昇降装置１の運搬を安全にしかも効率的に行うことができる。
転倒防止金物４は、自身に設けられた固定孔４ａと支柱２ａに設けられた固定孔８ａを符合させてボルト１２を通し蝶ナット１３を締めて固定される。同様に支柱２ｃの下端部では支柱２ｃに穿設された支柱孔１４と下部固定フォーク５の下部差込部１０に設けられたジョイント孔１５を符合させたうえでボルト１２を通し蝶ナット１３で固定する。
【００１７】
昇降器３Ｒ，３Ｌは、支柱２ａ，２ｂ，２ｃに移動可能に周設された昇降器枠体９Ｒ，９Ｌを備えている。この昇降器３Ｒ，３Ｌについては、図３と図４を参照しながら説明する。
図３は本実施の形態に係る昇降装置の昇降器の上方からの斜視図であり、図４は同じく下方からの斜視図である。
図３において、右足用の昇降器３Ｒは図１及び図２に示された支柱に移動可能に周設される昇降器枠体９Ｒを備えており、この昇降器枠体９Ｒから水平にサポートアーム２０Ｒが延設され踏み板２８Ｒがサポートプレート２１Ｒを介して支持されている。サポートプレート２１Ｒの端部にはベルト２５Ｒが懸架されており、ベルト２５Ｒの両端はベルト根留め金具２６Ｒとバックル２７Ｒに靴の大きさによってベルト２５Ｒ長さを調節可能に固定できるように構成されている。
ここで、この昇降器枠体９Ｒとこれから水平に延設されるサポートアーム２０Ｒを結ぶ符号Ａで示される方向線とベルト２５Ｒの両端を結ぶ符号Ｂで示される方向線は略一致している。本願明細書において、「方向線」とは一の部材を始点とし他の部材を終点として仮想に設けられる線をいう。
踏み板２８Ｒにはかかと保持具２９Ｒが留めボルト３０Ｒによって垂設されている。
【００１８】
次に、昇降器枠体９Ｒに戻り、その構成の説明を追加する。昇降器枠体９Ｒ内には２本のローレット棒２２Ｒ，２２Ｒがナット２４Ｒ，２４Ｒを介してボルト２３Ｒ，２３Ｒによって締結されている。２本のローレット棒２２Ｒ，２２Ｒ間の水平方向距離は支柱の幅よりもわずかに広く設定されている。作業員が踏み板２８Ｒに足を掛けた際には昇降器枠体９Ｒは踏み板２８Ｒ側が作業員の自重で沈むように傾くが、その傾きによって支柱の幅とローレット棒間の距離の差、すなわち支柱とローレット棒との間隙が消化される。このとき昇降器枠体９Ｒの下側に設けられたローレット棒２２Ｒには、作業員の自重でサポートアーム２０Ｒを介してモーメント荷重が発生することによって左方向に力が加わり、同様に上側に設けられた図示されないローレット棒には右方向へ力が加わるため支柱との間で大きな摩擦力が生じ作業員の自重を支えることが可能となる。
左足用の昇降器３Ｌもほぼ昇降器３Ｒと左右対称であるものの同一の構成であるためその構成の説明は省略するが、右足用の昇降器３Ｒのサポートアーム２０Ｒが昇降器枠体９Ｒの下部側から延設されるのに対して、左足用の昇降器３Ｌのサポートアーム２０Ｌは昇降器枠体９Ｌの上部側から延設される構成となっているのが異なる。
【００１９】
図４において、図３に示される構成と同一部分は同一符号を付し、その構成の説明は省略するが、右足用の昇降器３Ｒのサポートアーム２０Ｒがサポートプレート２１Ｒを介して踏み板２８Ｒを支持している状態がよく理解できる。
このように構成された本実施の形態に係る昇降装置においては、図３に示された符号Ａで示される方向線と符号Ｂで示される方向線が略一致するため、作業員が足を上げてベルト２５Ｒ，２５Ｌを引っ張りながら支柱に沿って移動しようとする際に、ベルト２５Ｒ，２５Ｌに掛かる力がそのままサポートアーム２０Ｒ，２０Ｌを介して昇降器枠体９Ｒ，９Ｌに伝達されやすい。従って、作業員は容易にそして安全に昇降器枠体９Ｒ，９Ｌを移動させることができる。
【００２０】
このことについて詳細に説明する。ベルト２５Ｒ，２５Ｌの位置がサポートアーム２０Ｒ，２０Ｌよりも前に位置に設置されている場合では、符号Ｂで示される方向線が符号Ａで示される方向線から上側にずれ、この２本の方向線間に距離が発生する。このように離れた場合には、ベルト２５Ｒ，２５Ｌを引っ張り上げると、符号Ａで示される方向線を軸に、符号Ｂで表される方向線との距離を腕としてモーメントが発生するため、ローレット棒２２Ｒ，２２Ｌを外した状態として上方へ昇降器枠体９Ｒ，９Ｌを移動させようとしても踏み板２８Ｒ，２８Ｌあるいは昇降器枠体９Ｒ，９Ｌを水平に保つことが難しく、支柱と昇降器枠体９Ｒ，９Ｌの内側が接触して摩擦力が発生し結果として移動が難しくなってしまう。しかし、本実施の形態のように２つの方向線が略一致していれば方向線間の隔たりはなく、モーメントも発生しないため踏み板２８Ｒ，２８Ｌや昇降器枠体９Ｒ，９Ｌを水平に維持することが容易であるため、ベルト２５Ｒ，２５Ｌに掛かる力がそのままサポートアーム２０Ｒ，２０Ｌを介して昇降器枠体９Ｒ，９Ｌに伝達されやすいのである。
【００２１】
次に図５を参照しながら本実施の形態に係る昇降装置の踏み板の実施例について説明する。（特に請求項４に対応）
図５（ａ）乃至（ｄ）は本実施の形態に係る昇降装置の踏み板の一の実施例を示す構造図である。図５（ａ）において、踏み板３１は中空の矩形ユニット３２を複数連結した構成となっており、図５（ｂ）では、踏み板３３は中空のハニカムユニット３４を複数連結した構成となっている。さらに図５（ｃ）では、踏み板３５は格子ユニット３６，３７によって構成されており、図５（ｄ）では踏み板３８が中空の円形ユニット３９を複数連結した構成となっている。図５（ａ）乃至（ｄ）に示される踏み板の構成によれば、中空の様々な形状のユニットあるいは格子ユニットを採用しているため、作業員の靴についた泥や砂を除去して靴の裏の摩擦力を回復させることが可能であり、また雨天時になどに踏み板が濡れても平板構造に比べてこれらのユニットによって摩擦力が増大する。従って、本実施例に示されるような踏み板を用いることによれば、高所においても靴が滑ることなく安全に作業を行うことができる。
【００２２】
次に、図６を参照しながら本実施の形態に係る昇降装置の固定部の実施例について説明する。（特に請求項２に対応）
図６は本実施の形態に係る昇降装置の下部固定具の実施例を示す外形図である。図６において、下部固定具４１は下部差込部４２から延設される支持アーム４３を固定ボルト４４によって固定され、支持アーム４３の端部に設けられた当接具４６は土地への定着物である電柱４９に当てられ、電柱４９の周囲をベルト４７で捲回した上で端部に設けたバックル４８で固定されている。下部差込部４２の下部には支持脚４５が設けられ、下部差込部４２の上部に接続される支柱と昇降器に載った作業員の体重を支持する。
このように構成された本実施例に係る下部固定具においては、昇降装置を支持脚４５で支えるため、例えば土中に固定フォークを差し込むことなく、コンクリートあるいはアスファルトなどの地面においても昇降装置を使用することができる。また、支持アーム４３を介して土地の定着物に固定されるためより堅固に昇降装置を固定することが可能であり、作業の安全性の向上にも効果を発揮する。
【００２３】
最後に図７を参照しながら本発明の実施の形態に係る締結具について説明する。（請求項５に対応）
図７は本発明の実施の形態に係る締結具の分解図である。図７において、断面矩形の支柱２ａ，２ｂを締結するために使用されるジョイント５１は、２枚の略長方形の板状材５１ａ、５１ｂと、２個の三角柱状の補強ブラケット５１ｃ，５１ｄを有している。２枚の板状材５１ａ、５１ｂはそれぞれ一の短辺の中央位置からこの短辺と垂直方向にスリット５２ａ，５２ｂが長手方向の略中央位置まで切込まれている。また、長辺には凸部５４ｂ，５５ｂ，５８ａ，５９ａ，６０ｂ，６１ｂ，６５ａ，６６ａが設けられている。また、２個の補強ブラケット５１ｃ，５１ｄの２個の側面によって形成される角には、板状材５１ａ、５１ｂに設置された凸部５４ｂ〜６６ａがそれぞれ符号する位置に留め孔５３ｃ，５３ｄ，６２ｃ，６２ｄ及び留め溝５６ｄ，５７ｄ，６３ｄ，６４ｄが設けられている。
２枚の板状材５１ａ、５１ｂに設けられたスリット５２ａ，５２ｂ同士を組み合わせて板状材５１ａ、５１ｂの面が直交するようにして２個の補強ブラケット５１ｃ，５１ｄ内に収納して凸部５４ｂ〜６６ａを留め孔５３ｃ等あるいは留め溝５６ｄ等から突出させるようにして組み立てる。
【００２４】
このように組み立てたジョイント５１を支柱２ａ，２ｂ内へ挿入して支柱同士を締結する。
このようなジョイント５１によれば、断面矩形の中空材である支柱２ａ，２ｂの角部に板状材５１ａ、５１ｂに設けられた凸部５４ｂ等が当接し、支柱にかかる作業員の体重をはじめとする荷重による曲げ力を中空材において堅固な強度を維持可能な角部に伝達させることができる。従って、長期間に亘っても締結具の部分の変形を防ぐことができ締結具の健全性を維持することができる。
【００２５】
【発明の効果】
以上説明したように、本発明の請求項１乃至請求項４記載の昇降装置においては、作業員の靴によって引き上げられるベルト部の力がそのまま支持部を介して枠体に伝達されやすいため作業員の移動が容易であり、そのため作業員の高所での安全性の向上にも効果を発揮する。
【００２６】
また、本発明の請求項２に記載の昇降装置においては、特に、コンクリートあるいはアスファルトなどの地面においても昇降装置を使用することができると同時に土地の定着物に固定されるためより堅固に昇降装置を固定することが可能であり、作業の安全性の向上にも効果を発揮する。
【００２７】
さらに、本発明の請求項３に記載の昇降装置においては、特に作業を行う場所までの昇降装置の運搬を安全にしかも効率的に行うことができる。
【００２８】
本発明の請求項４に記載の昇降装置においては、孔自体による摩擦力を発揮し、さらに表裏に貫通する孔を通して作業員の靴についた泥を下方に落として靴が持つ摩擦力を回復させ、高所においても靴が滑ることなく安全に作業を行うことができる。
【００２９】
本発明の請求項５に記載の締結具においては、支柱にかかる作業員の体重をはじめとする荷重による曲げ力を中空材において堅固な強度を維持可能な角部に伝達させることができるため、長期間に亘って締結具の変形を防ぐことができ、健全性を維持することができる。
【図面の簡単な説明】
【図１】本発明の実施の形態に係る昇降装置の概念図である。
【図２】本実施の形態に係る昇降装置を分解した状態を示す概念図である。
【図３】本実施の形態に係る昇降装置の昇降器の上方からの斜視図である。
【図４】本実施の形態に係る昇降装置の昇降器の下方からの斜視図である。
【図５】（ａ）乃至（ｄ）はそれぞれ本実施の形態に係る昇降装置の踏み板の一の実施例を示す構造図である。
【図６】本実施の形態に係る昇降装置の下部固定具の実施例を示す外形図である。
【図７】本発明の実施の形態に係る締結具の分解図である。
【図８】昇降装置の従来例の一部破断させた斜視図である。
【符号の説明】
１…昇降装置　２ａ，２ｂ，２ｃ…支柱　３Ｒ，３Ｌ…昇降器　４…転倒防止金物　４ａ…固定孔　５…下部固定フォーク　６…ジョイント　７…通し孔　８…留め孔　８ａ…固定孔　９Ｒ，９Ｌ…昇降器枠体　１０…下部差込部　１１…運搬ボルト　１２…ボルト１３…蝶ナット　１４…支柱孔　１５…ジョイント孔　２０Ｒ，２０Ｌ…サポートアーム　２１Ｒ，２１Ｌ…サポートプレート　２２Ｒ，２２Ｌ…ローレット棒　２３Ｒ，２３Ｌ…ボルト　２４Ｒ，２４Ｌ…ナット　２５Ｒ，２５Ｌ…ベルト　２６Ｒ，２６Ｌ…ベルト根留め金具　２７Ｒ，２７Ｌ…バックル　２８Ｒ，２８Ｌ…踏み板　２９Ｒ，２９Ｌ…かかと保持具　３０Ｒ，３０Ｌ…留めボルト　３１…踏み板　３２…矩形ユニット　３３…踏み板３４…ハニカムユニット　３５…踏み板　３６…格子ユニット　３７…格子ユニット　３８…踏み板　３９…円形ユニット　４１…下部固定具　４２…下部差込部　４３…支持アーム　４４…固定ボルト　４５…支持脚　４６…当接具　４７…ベルト　４８…バックル　４９…電柱　５１…ジョイント　５１ａ，５１ｂ…板状材　５１ｃ，５１ｄ…補強ブラケット　５２ａ，５２ｂ…スリット　５３ｃ，５３ｄ…留め孔　５４ｂ…凸部　５５ｂ…凸部　５６ｄ…留め溝　５７ｄ…留め溝　５８ａ…凸部　５９ａ…凸部　６０ｂ…凸部　６１ｂ…凸部　６２ｃ，６２ｄ…留め孔　６３ｄ…留め溝　６４ｄ…留め溝　６５ａ…凸部　６６ａ…凸部　７１…枝打ち用木登り装置　７２…支柱　７３…転倒防止金具　７４…固定フォーク　７５Ｒ，７５Ｌ…昇降器　７６Ｒ，７６Ｌ…昇降器枠体　７７Ｒ，７７Ｌ…足踏み台　７８Ｒ，７８Ｌ…昇降器枠　７９Ｒ，７９Ｌ…昇降器足踏み台用スティ　８０Ｒ，８０Ｌ…足踏み台　８１Ｒ，８１Ｌ…靴固定用バンド　８２Ｒ，８２Ｌ…かかと保持部
【図１】
2004000043.tif 000003
【図２】
2004000043.tif 000004
【図３】
2004000043.tif 000005
【図４】
2004000043.tif 000006
【図５】
2004000043.tif 000007
【図６】
2004000043.tif 000008
【図７】
2004000043.tif 000009
【図８】
2004000043.tif 000010